(57)【要約】【課題】本発明は、操作性を損なうことなく多機能化を図ることのできる表示装置および情報処理装置を提供することを課題とする。【解決手段】ＬＥＤを光源とするバックライト２２を備えたＬＣＤパネル２１に付随して設けられる、バックライト電源回路２４を備えたサブ基板２３に、ユーザインタフェース２６を具備する付加回路２５を設ける。【選択図】    図１
2007121962.tif 000002
【特許請求の範囲】
【請求項１】
表示パネルと、
前記表示パネルの光源として設けられる発光素子と、
前記発光素子への電源供給を制御する第１の回路が設けられる基板と
前記基板に設けられ、前記表示パネルの駆動処理と関係しない処理を行う第２の回路と、
を具備したことを特徴とする表示装置。
【請求項２】
外部機器と接続可能なインタフェースをさらに具備し、
前記第２の回路は前記インタフェースと接続される回路であることを特徴とする請求項１記載の表示装置。
【請求項３】
前記第２の回路は、サウンド信号を処理する回路、ＵＳＢ電源を制御する回路、若しくは画像信号を処理する回路を含むことを特徴とする請求項２記載の情報処理装置。
【請求項４】
前記基板に設けられ、前記第１の回路および前記第２の回路のうちの少なくとも一つを制御するコントローラをさらに具備することを特徴とする請求項１記載の表示装置。
【請求項５】
第１の基板を内蔵する本体と、
前記本体と回動可能に設けられる表示部と、
前記表示部は、
表示パネルと、
前記表示パネルの光源として設けられる発光素子と、
前記発光素子への電源供給を制御する第１の回路が設けられる第２の基板と
前記第２の基板上に設けられ、前記第１の基板に設けられる回路に接続され、かつ、前記表示パネルの駆動処理と関係しない処理を行う第２の回路と、
を具備することを特徴とする情報処理装置。
【請求項６】
前記表示部は外部機器と接続可能なインタフェースをさらに具備し、
前記第２の回路は前記インタフェースに接続される回路であることを特徴とする請求項５記載の情報処理装置。
【請求項７】
前記表示部は外部機器と接続可能なインタフェースをさらに具備し、
前記インタフェースは、前記第２の回路を介して前記第１の基板に設けられる回路に伝送される信号が入力されるインタフェース、前記第１の基板に設けられる回路から前記第２の回路を介して伝送される信号が出力されるインタフェースのうちの少なくともいずれを具備することを特徴とする請求項５記載の情報処理装置。
【請求項８】
前記第２の回路は、サウンド信号を処理する回路、ＵＳＢ電源を制御する回路、若しくは画像信号を処理する回路を含むことを特徴とする請求項５記載の情報処理装置。
【請求項９】
前記本体と前記表示部とを接続するヒンジ機構をさらに具備し、
前記第２の回路は、前記ヒンジ機構を介して前記第１の基板に設けられる回路に接続される回路であることを特徴とする請求項５記載の情報処理装置。
【請求項１０】
前記第２の基板に設けられ、前記第１の回路および前記第２の回路のうちの少なくとも一つを制御するコントローラをさらに具備することを特徴とする請求項５記載の情報処理装置。
【発明の詳細な説明】
【技術分野】
【０００１】
本発明は、バックライト型の液晶表示パネルを用いた表示装置および同表示装置を備えた情報処理装置に関する。
【背景技術】
【０００２】
近年、蛍光管に代え、ＬＥＤなどの発光素子をバックライト用光源に用いた液晶表示装置が開発されている。
【特許文献１】特開２００２−７２２３４号公報
【発明の開示】
【発明が解決しようとする課題】
【０００３】
この種液晶表示装置を設けた携帯型の情報処理装置においては、より多機能化を図るための回路実装技術が要求される。
【０００４】
本発明は、操作性を損なうことなく多機能化を図ることのできる表示装置および情報処理装置を提供することを目的とする。
【課題を解決するための手段】
【０００５】
本発明は、表示パネルと、前記表示パネルの光源として設けられる発光素子と、前記発光素子への電源供給を制御する第１の回路が設けられる基板と、前記基板に設けられ、前記表示パネルの駆動処理と関係しない処理を行う第２の回路とを具備した表示装置を特徴とする。
【０００６】
また本発明は、第１の基板を内蔵する本体と、前記本体と回動可能に設けられる表示部とを具備し、前記表示部は、表示パネルと、前記表示パネルの光源として設けられる発光素子と、前記発光素子への電源供給を制御する第１の回路が設けられる第２の基板と、前記第２の基板上に設けられ、前記第１の基板に設けられる回路に接続され、かつ、前記表示パネルの駆動処理と関係しない処理を行う第２の回路とを具備した情報処理装置を特徴とする。
【発明の効果】
【０００７】
本発明によれば操作性を損なうことなく多機能化を図ることができる。
【発明を実施するための最良の形態】
【０００８】
以下図面を参照して本発明の実施形態を説明する。
【０００９】
本発明の第１実施形態に係る表示装置およびこの表示装置を用いた情報処理装置の構成を図１に示す。
【００１０】
本発明の実施形態に係る情報処理装置は、情報処理装置の主要部を構成する本体部１０と、表示装置を構成する表示部２０とを有する。表示部２０は本体部１０にヒンジ部３０を介して回動可能に支持される。本体部１０にはシステム回路基板１１が設けられる。このシステム回路基板１１には、ＣＰＵおよびその周辺回路と、各種のバスおよびこのバスに接続された各種のコントローラを含むシステム回路１２が設けられる。
【００１１】
表示部２０には、ＬＣＤパネル（液晶表示パネル）２１、およびこのＬＣＤパネル２１に付随するサブ基板（回路基板）２３が設けられる。ＬＣＤパネル２１には、光源にＬＥＤを用いたバックライト２２が設けられる。
【００１２】
サブ基板２３には、バックライト２２の光源となるＬＥＤを点灯駆動制御するバックライト電源回路（ＬＥＤ・ＢＬ−ＰＳ）２４が設けられる。さらにサブ基板２３には、ＬＣＤの駆動に関係しない付加回路２５が設けられる。この付加回路２５はユーザインタフェース（ＩＦ）２６を具備する。このユーザインタフェース２６は、例えば上記システム回路基板１１へ入力する信号を扱うユーザインタフェース機能と、上記システム回路基板１１から出力される信号を扱うユーザインタフェースの各インタフェース機能をもつ。若しくはそのいずれかのユーザインタフェース機能をもつ。
【００１３】
上記サブ基板２３に設けられた、ユーザインタフェース２６を具備する付加回路２５は、本体部１０に設けられたシステム回路基板１１に回路接続される。この回路接続はヒンジ部３０の内部に形成された貫通孔を通る信号線を用いて実現される。この信号線は、例えばシリアルバスインタフェースに接続されたシリアルバスであり、またはアナログ信号線であり、またはＵＳＢケーブルである。また貫通孔の径が広い場合は複数ビット幅のパラレルバスであってもよい。シリアルバスは上記ヒンジ部３０の貫通孔を通る信号線の本数が厳しく制限される場合に適用して好適である。
【００１４】
シリアルバスは、システム回路基板１１と付加回路２５との間でコマンド、データ等のデジタル信号を転送する回路構成において、ヒンジ部３０内の貫通孔を通る信号線の本数に制約を受けた場合に適用することができる。例えば、本体部１０のシステム回路基板１１に設けられたＩＯコントローラから表示部２０のサブ基板２３に設けられた付加回路２５にデジタル信号を送出し、このデジタル信号を付加回路２５がアナログ変換してユーザインタフェース２６に出力する回路構成に適用することができる。または、付加回路２５がユーザインタフェース２６の操作状態に応じたコマンド（またはデータ）を生成し、このコマンドをシステム回路基板１１に送出する回路構成に適用することができる。
【００１５】
またアナログ信号線は、システム回路基板１１と付加回路２５との間でユーザインタフェースに係わる各種のアナログ信号を送受する場合に適用することができる。例えばシステム回路基板１１に設けられたＩＯコントローラがデジタル−アナログ変換した信号（例えばオーディオ信号）を付加回路２５に送出し、付加回路２５でアナログ増幅してユーザインタフェース２６に出力する回路構成に適用することができる。または、付加回路２５がユーザインタフェース２６から受けたアナログ信号（例えばマイク入力信号）をアナログ増幅してシステム回路基板１１に送出し、システム回路基板１１が上記アナログ信号をデジタル変換して取り込む回路構成に適用することができる。
【００１６】
ＵＳＢケーブルを使用する例としては、システム回路基板１１と付加回路２５との間で、例えばサウンドデータ、画像データ等を転送する場合はアイソクロナス転送を行い、付加回路２５からシステム回路基板１１にポインティングデバイスのデータを転送する場合はインターラプト転送を行うことにより、システム回路基板１１と付加回路２５との間でユーザインタフェースで扱う映像、音声、操作指示の各信号授受が可能である。
【００１７】
また、サブ基板２３に、当該サブ基板２３とシステム回路基板１１との間のデータ転送制御を司る、マイクロプロセッサを用いて構成された制御回路（ＣＮＴ）２９を設け、サブ基板２３に実装されたバックライト電源回路２４と付加回路２５がそれぞれ上記制御回路２９の制御でシステム回路基板１１とデータを送受する回路構成とすることも可能である。さらに、この際、信号線を共通に使用することも可能である。他の例として、上記制御回路２９は、サブ基板２３に設けられたバックライト電源回路２４および付加回路２５の双方。若しくはバックライト電源回路２４および付加回路２５のうちのいずれか一方を制御することも可能である。例えば上記制御回路２９がシステム回路基板１１より受信データを受信して所定の処理を実行し、処理したデータを付加回路２５に送出するとともにシステム回路基板１１に送出する処理機能、若しくは付加回路２５から入力したデータを処理してユーザインタフェース２６を入出力制御するとともにシステム回路基板１１に送出する処理機能を実現することも可能である。なお、上記制御回路２９はサブ基板２３上に単独で設ける構成に限らず、例えば付加回路２５内に組み込む構成、若しくはバックライト電源回路２４内に組み込む構成であってもよい。
【００１８】
上記したように、バックライト電源回路２４を設けたサブ基板２３に、ユーザインタフェース２６を具備する付加回路２５を設けることによって、多機能化を図るべく新たに加える機能回路を実装する際に、その実装スペースをシステム回路基板１１に確保することなく、また、表示部２０に新たに基板実装スペースを確保することなく、ユーザインタフェース２６を備えた機能回路を付加回路２５として表示部２０に設けることができ、これによって、操作性を損なうことなく、容易に多機能化を図る（機能を拡張する）ことができる。
【００１９】
また経済的に有利な回路実装手段を用いて、操作性を損なうことなく、多機能化を図ることができる。例えば、バックライト付きＬＣＤパネルに於いて、バックライト光源を蛍光管（ＦＬ管）からＬＥＤに代えたとき、ＬＣＤパネルに付随して設けられるバックライト用電源回路基板（サブ基板）に、蛍光管を点灯駆動するための高圧電源を扱うバックライト用電源回路の実装が不要となり、バックライト用電源回路がＬＥＤ点灯駆動用の小規模で低電圧の回路に置き換わることから、バックライト用電源回路基板に、他の機能回路を実装するに十分な実装スペースを確保することができる。また、ヒンジ部内の貫通孔にも十分な配線スペースを確保することができる。従って、表示部に新たに基板実装スペースを確保することなく、上記バックライト用電源回路基板（サブ基板）に、バックライト電源回路と、ユーザインタフェースを備えた機能回路とを併置できる。これによって表示部および本体部の大幅な設計変更を必要とせず、既存のサブ基板或いは基板実装スペースを有効に利用した経済的に有利な構成で、付加回路による機能拡張ができる。
【００２０】
また、ユーザが使用する、例えばコネクタ、プラグ、ジャック等の接栓類や、ジョグダイヤル、スイッチ等の操作器類を含んだユーザインタフェースを表示部筐体に設けることによって、本体部に機能拡張のためのユーザインタフェースの実装スペースを新たに確保することなく、操作性の良い付加回路による機能拡張が可能となる。
【００２１】
また、システム回路基板１１に実装していた、一部の機能回路を上記付加回路として表示部内のサブ基板に移すことによって、システム回路基板１１に新規な機能回路を付加することが可能となる。また、上記した表示部２０をタブレット式の情報処理装置に適用することで、多機能化した操作性の良いタブレット式情報処理装置を実現できる。
【００２２】
上記した本発明の実施形態（第１実施形態）をより具現化した本発明の実施形態を以下に例示する。
【００２３】
本発明の第１実施形態をより具現化した本発明の第２実施形態を図２に示す。この第２実施形態は、サブ基板に、付加回路としてサウンド回路を設けた構成を例示している。なお、図２に示す構成要素のうち図１に示した構成要素と同一部分には同一符号を付してその説明を省略する。
【００２４】
表示部２０内のサブ基板２３には、バックライト２２の光源となるＬＥＤを点灯駆動制御するバックライト電源回路２４に加え、付加回路となるサウンド回路２５１が設けられる。このサウンド回路２５１は、ユーザインタフェースとして、ユーザが使用するオーディオジャック（ＪＫ）２５２と、ユーザが操作する可変制御器（ＶＲ）２５３とを具備する。オーディオジャック（ＪＫ）２５２は、例えばヘッドホンジャックであり、あるいはマイクロフォンジャックである。可変制御器（ＶＲ）２５３は、例えば音量調整用の可変抵抗器、ジョグダイヤル等の操作器である。
【００２５】
上記サブ基板２３に設けられた、オーディオジャック２５２および可変制御器２５３を具備するサウンド回路２５１は、本体部１０のシステム回路基板１１に設けられたサウンドコントローラに回路接続される。
【００２６】
この第２実施形態では、ユーザインタフェースで扱う各種のオーディオ信号をサブ基板２３に設けたサウンド回路２５１を介してシステム回路基板１１に入出力できる機能回路が実現できる。
【００２７】
この第２実施形態をさらに具現化した情報処理装置の構成例を図３および図４に示す。  
図３は上記第２実施形態をさらに具現化した情報処理装置の外観構成例を示したもので、ここではバッテリ駆動可能な携帯型のノートブック型パーソナルコンピュータを例に示している。このパーソナルコンピュータは本体部１０と表示部２０から構成されている。
【００２８】
表示部２０はヒンジ部３０を介して本体部１０に回動可能に支持されている。表示部２０には、透過型のＬＣＤパネル２１が表示面を筐体前面に露出した状態で筐体内に組み込まれている。このＬＣＤパネル２１の背面には図２に示した、光源にＬＥＤを用いたバックライト２２が設けられている。また、表示部２０の筐体一側面には、上記図２に示したサウンド回路２５１が具備するオーディオジャック２５２および可変制御器２５３が、差込口、操作ダイヤル等を筐体から露出した状態で設けられている。
【００２９】
本体部１０は薄い箱形の筐体を有しており、その筐体上面にはキーボード１３、システム電源をオン／オフ制御するパワーボタン１４、入力操作パネル１５、およびタッチパッド１６などが配置されている。入力操作パネル１５は、押されたボタンに対応するイベントを入力する入力装置であり、複数の機能をそれぞれ起動するための複数の機能をそれぞれ起動するための複数のボタンを備えている。これらのボタン群には、輝度制御ボタン１５Ａも含まれている。輝度制御ボタン１５Ａは、ＬＣＤパネル２１の表示輝度、つまりバックライト２２の光源となるＬＥＤの輝度を調整するためのボタンスイッチである。
【００３０】
上記図３に示す本体部１０および表示部２０の内部構成を図４に示している。  
本体部１０の筐体内に収納された、図２に示すシステム回路基板１１には、ＣＰＵ１１１、ノースブリッジ１１２、主メモリ１１３、グラフィクスコントローラ１１４、サウスブリッジ１１９、ＢＩＯＳ−ＲＯＭ１２０、ハードディスクドライブ（ＨＤＤ）１２１、光ディスクドライブ（ＯＤＤ）１２２、エンベデッドコントローラ／キーボードコントローラＩＣ（ＥＣ／ＫＢＣ）１２４、電源コントローラ１２５およびサウンドコントローラ１２６等を備えている。
【００３１】
ＣＰＵ１１１は、システム内の各動作を制御するために設けられたプロセッサであり、ハードディスクドライブ（ＨＤＤ）１２１から主メモリ１１３にロードされる、オペレーティングシステム（ＯＳ）、および各種アプリケーションプログラムを実行する。また、ＣＰＵ１１１は、ＢＩＯＳ−ＲＯＭ１２０に格納されたＢＩＯＳ（Basic Input Output System）も実行する。ＢＩＯＳはハードウェア制御のためのプログラムである。ここでは輝度制御ボタン１５Ａの操作に伴いＢＩＯＳの制御の下にサブ基板２３に設けられたバックライト電源回路２４がＬＣＤパネル２１に設けられたバックライト２２の表示輝度（ＬＥＤの光量）を制御する。
【００３２】
ノースブリッジ１１２はＣＰＵ１１１のローカルバスとサウスブリッジ１１９との間を接続するブリッジデバイスである。ノースブリッジ１１２には、主メモリ１１３をアクセス制御するメモリコントローラが内蔵されている。また、ノースブリッジ１１２には、ＡＧＰ（Accelerated Graphics Port）バスなどを介してグラフィクスコントローラ１１４との通信を実行する機能も有している。
【００３３】
グラフィクスコントローラ１１４は、表示部２０のＬＣＤパネル２１を制御する表示コントローラである。このグラフィクスコントローラ１１４はビデオメモリ（ＶＲＡＭ）１１４Ａを有しており、ＯＳ／アプリケーションプログラムによってビデオメモリ１１４Ａに書き込まれた表示データから、表示部２０のＬＣＤパネル２１に表示すべき表示イメージを形成する映像信号を生成する。
【００３４】
サウスブリッジ１１９は、ＬＰＣ（Low Pin Count）バス上の各デバイスを制御する。また、サウスブリッジ１１９は、ＨＤＤ１２１、ＯＤＤ１２２を制御するためのＩＤＥ（Integrated Drive Electronics）コントローラを内蔵している。また、サウスブリッジ１１９は、ＢＩＯＳ−ＲＯＭ１２０をアクセス制御するための機能を有している。
【００３５】
このサウスブリッジ１１９には、ＰＣＩバスを介してサウンドコントローラ１２６を含む各種のＩＯコントローラが接続される。ＰＣＩバスを介してサウスブリッジ１１９に接続されたサウンドコントローラ１２６は、サウンド情報を扱うアプリケーションプログラムの制御の下にサウンドデータまたはアナログサウンド信号の入出力制御を行う。このサウンドコントローラ１２６は、所定のバスまたは信号線を介してサブ基板２３に設けられたサウンド回路２５１に回路接続される。
【００３６】
ＨＤＤ１２１は、各種ソフトウェア及びデータを格納する記憶装置である。このＨＤＤ１２１には、上述したオペレーティングシステムおよび各種アプリケーションシステムなどが格納されている。光ディスクドライブ（ＯＤＤ）１２２は、ビデオコンテンツが格納されたＤＶＤ、ＣＤなどの記憶メディアを駆動するためのドライブユニットである。
【００３７】
エンベデッドコントローラ／キーボードコントローラＩＣ（ＥＣ／ＫＢＣ）１２４は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１２４は、輝度制御ボタン１５Ａがユーザによって押された時、表示輝度切り替えイベントが入力されたことをＢＩＯＳに通知するために例えばＳＭＩ（System Management Interrupt）のような割り込み信号を発生する。
【００３８】
また、エンベデッドコントローラ／キーボードコントローラＩＣ（ＥＣ／ＫＢＣ）１２４は、電源コントローラ１２５と協調して動作することにより、ユーザによるパワーボタン１４の操作に応じて、本コンピュータ１０をパワーオン／パワーオフする機能を有している。
【００３９】
表示部２０のサブ基板２３に設けられたバックライト電源回路２４は、透過型ＬＣＤパネル２１の背面部に設けられたバックライト２２の光源を点灯駆動する。バックライト２２は、バックライトの光源となる複数のＬＥＤと、この各ＬＥＤから発せられた光をＬＣＤパネル２１の背面部に面状に均一に照射する導光板とを有して構成される。
【００４０】
表示部２０のサブ基板２３に設けられたサウンド回路２５１は、ユーザインタフェースとしてオーディオジャック２５２および可変制御器２５３を具備する。このサウンド回路２５１はヒンジ部３０内を通るバスまたは信号線を介してサウンドコントローラ１２６に回路接続される。
【００４１】
サウンド回路２５１は、サウンドコントローラ１２６から出力されたサウンド情報（デジタルサウンドデータ若しくはアナログサウンド信号）をユーザに提供するインタフェース回路機能を実現する。さらにサウンド回路２５１は、ユーザが入力したサウンド情報をサウンドコントローラ１２６が入力可能な信号形態に変換してサウンドコントローラ１２６に送出するインタフェース回路機能を実現する。
【００４２】
このサウンド回路２５１に於ける具体的な回路機能について例示する。  
第１例として、サウンド回路２５１は、サウンドコントローラ１２６から出力されたデジタルサウンドデータをアナログサウンド信号に変換（復元）し、可変制御器２５３の操作指示に従うサウンドレベルに増幅してオーディオジャック２５２に出力する回路機能を実現する。この場合のサウンドコントローラ１２６とサウンド回路２５１との回路接続は、シリアルバス接続、パラレルバス接続、ＵＳＢケーブル接続の何れであってもよい。
【００４３】
第２例として、サウンド回路２５１は、サウンドコントローラ１２６から出力されたアナログサウンド信号を入力し、可変制御器２５３の操作指示に従うサウンドレベルに増幅してオーディオジャック２５２に出力する回路機能を実現する。この場合のサウンドコントローラ１２６とサウンド回路２５１との回路接続は、アナログ信号を伝送する信号線接続でよい。
【００４４】
第３例として、サウンド回路２５１は、オーディオジャック２５２から入力されたマイクロフォンの信号を所定のレベルに増幅し、サウンドコントローラ１２６が入力可能なデジタル信号形式に変換してサウンドコントローラ１２６に供給する回路機能を実現する。この場合のサウンドコントローラ１２６とサウンド回路２５１との回路接続は、シリアルバス接続、パラレルバス接続、ＵＳＢケーブル接続の何れであってもよい。
【００４５】
第４例として、サウンド回路２５１は、オーディオジャック２５２から入力されたマイクロフォンの信号を可変制御器２５３の操作指示に従うサウンドレベルに増幅して、サウンドコントローラ１２６にアナログサウンド信号として供給する回路機能を実現する。この場合のサウンドコントローラ１２６とサウンド回路２５１との回路接続は、アナログ信号を伝送する信号線接続でよい。
【００４６】
上記した各種の回路機能をユーザインタフェースの仕様等に合わせて適宜組み合わせることで、所望のサウンド機能をサブ基板２３上で拡張することができる。
【００４７】
このように、バックライト電源回路２４を設けたサブ基板２３に、ユーザインタフェースを具備するサウンド回路２５１を設けることによって、多機能化を図るべく新たに加える機能回路を実装する際に、その実装スペースをシステム回路基板１１に確保することなく、また、表示部２０に新たに基板実装スペースを確保することなく、ユーザインタフェースを備えたサウンド機能回路を付加回路として表示部２０に設けることができ、これによって、操作性を損なうことなく、容易に多機能化を図ることができる。
【００４８】
本発明の第１実施形態をより具現化した本発明の第３実施形態を図５に示す。この第３実施形態は、サブ基板に、付加回路としてＵＳＢポートを対象としたＵＳＢ電源回路を設けた構成を例示している。なお、図５に示す構成要素のうち図１に示した構成要素と同一部分には同一符号を付してその説明を省略する。
【００４９】
表示部２０内のサブ基板２３には、バックライト２２の光源となるＬＥＤを点灯駆動制御するバックライト電源回路２４に加え、付加回路となるＵＳＢ電源回路２６１が設けられる。このＵＳＢ電源回路２６１は、ユーザインタフェースとして、２つのＵＳＢコネクタ２６２，２６３を具備する。
【００５０】
ＵＳＢ電源回路２６１は、ＵＳＢコネクタ２６２，２６３に電源を供給制御し、ＵＳＢ入出力信号をＵＳＢコネクタ２６２，２６３とシステム回路基板１１に設けたＵＳＢインタフェースをもつＩＯコントローラとの間で受け渡す回路機能をもつ。
【００５１】
これにより、ＵＳＢポートの増設が必要に応じて容易に可能となる。またＵＳＢコネクタ２６２，２６３を表示部２０の筐体に設けることで、各種のＵＳＢ機器を本体部１０に依存することなく使用することができる。例えばＵＳＢコネクタ２６２，２６３を表示部２０の筐体側面若しくは筐体後面に配置することで、表示部２０を本体部１０上で開いた状態だけでなく、閉じた状態でも容易にＵＳＢ機器を使用することができる。
【００５２】
本発明の第１実施形態をより具現化した本発明の第４実施形態を図６に示す。この第４実施形態は、サブ基板に、付加回路として、撮像カメラを具備するインタフェース回路（カメラコントローラ）を設けた構成を例示している。なお、図６に示す構成要素のうち図１に示した構成要素と同一部分には同一符号を付してその説明を省略する。
【００５３】
表示部２０内のサブ基板２３には、バックライト２２の光源となるＬＥＤを点灯駆動制御するバックライト電源回路２４に加え、付加回路となるカメラコントローラ２７１が設けられる。このカメラコントローラ２７１は撮像用のカメラ２７２を具備する。
【００５４】
カメラコントローラ２７１は、カメラ２７２で撮影した画像のデータを、システム回路基板１１に設けられた画像処理機能部の入力フォーマット形式に変換し、例えばＵＳＢケーブルを介してシステム回路基板１１に伝送する。
【００５５】
表示部２０のサブ基板２３に、付加回路として、カメラ２７２を具備するカメラコントローラ２７１を設けたことにより、カメラ機能の拡張を本体部１０に依存することなく容易に実現できる。
【００５６】
上記した各実施形態は、図３に示したようなポータブルコンピュータにとどまらず、表示部を必要とする各種の情報処理機器に適用可能であり、例えば、タブレット式の情報処理装置に適用することで、多機能化した操作性の良いタブレット式情報処理装置を実現できる。
【図面の簡単な説明】
【００５７】
【図１】本発明の第１実施形態に係る表示装置および情報処理装置の構成を示すブロック図。
【図２】本発明の第１実施形態に係る表示装置および情報処理装置の構成を示すブロック図。
【図３】本発明の第２実施形態をさらに具現化した情報処理装置の外観構成を示す斜視図。
【図４】本発明の第２実施形態をさらに具現化した情報処理装置のシステム構成を示すブロック図。
【図５】本発明の第３実施形態に係る表示装置および情報処理装置の構成を示すブロック図。
【図６】本発明の第４実施形態に係る表示装置および情報処理装置の構成を示すブロック図。
【符号の説明】
【００５８】
１０…本体部、１１…システム回路基板、１２…システム回路、１３…キーボード、１４…パワーボタン、１５…入力操作パネル、１５Ａ…輝度制御ボタン、１６…タッチパッド、２０…表示部、２１…ＬＣＤパネル（液晶表示パネル）、２３…サブ基板（回路基板）、２４…バックライト電源回路（ＬＥＤ・ＢＬ−ＰＳ）、２５…付加回路、２６…ユーザインタフェース（ＩＦ）、２９…制御回路（ＣＮＴ）、３０…ヒンジ部、１１１…ＣＰＵ、１１２…ノースブリッジ、１１３…主メモリ、１１４…グラフィクスコントローラ、１１４Ａ…ビデオメモリ、１１９…サウスブリッジ、１２０…ＢＩＯＳ−ＲＯＭ、１２１…ハードディスクドライブ、１２２…光ディスクドライブ、１２４…キーボードコントローラＩＣ、１２５…電源コントローラ、１２６…サウンドコントローラ、２５１…サウンド回路、２５２…オーディオジャック（ＪＫ）、２５３…可変制御器（ＶＲ）、２６１…ＵＳＢ電源回路、２６２，２６３…ＵＳＢコネクタ、２７１…カメラコントローラ、２７２…カメラ。
【図１】
2007121962.tif 000003
【図２】
2007121962.tif 000004
【図３】
2007121962.tif 000005
【図４】
2007121962.tif 000006
【図５】
2007121962.tif 000007
【図６】
2007121962.tif 000008